(57)【特許請求の範囲】
【請求項１】
交流電源からの電力の供給を受けて直流電力を生成する直流電源と、
この直流電源からの直流電力の供給を受けて直流電力を供給する駆動用電源と、
前記交流電源からの電力の供給の有無を判定する交流電源検出手段と、
前記駆動用電源に蓄えられた電荷を放電する放電手段と、
前記交流電源検出手段により前記交流電源からの電力の供給が無いと判定されたときに前記放電手段を動作させる制御手段と、該制御手段へ信号を送るキー入力手段とを備え、
前記キー入力手段は放電手段を兼ねることを特徴とする電源回路。
【請求項２】
直流電源からの直流電力の供給を受けて制御手段に直流電力を供給する制御用電源と、
交流電源からの電力の供給が無いときに前記制御用電源に直流電力を供給するバックアップ電源と、
動作状態を表示するＬＣＤからなる表示手段と、
を備え、
前記制御用電源から前記表示手段に直流電力を供給することを特徴とする請求項１の電源回路。
【発明の詳細な説明】
【０００１】
【発明の属する技術分野】
この発明は、一般用電子装置の電源回路に関するものである。
【０００２】
【従来の技術】
従来の電源回路では、交流電源からの電力の供給が無くなった場合の直流電源の電圧低下は、その直流電源回路に接続された負荷により決定されていた。その負荷は直流電源回路の出力容量の低減のために小さく設定されているのが一般的である。
【０００３】
以下、従来の電源回路の構成について図を用いて説明する。図７は従来の電子装置の基板等に用いられる電源回路のブロック図である。１は商用電源等の交流電源、２は交流電源１からの電力の供給を受けて直流電力を生成する直流電源、３は発光ダイオード等からなり装置の状態を表示する表示手段、４は直流電源２からの直流電力の供給を受けて表示手段３に直流電力を供給する駆動用電源、５はマイクロコンピュータ等からなり装置を制御する制御手段、６は直流電源２からの直流電力の供給を受けて制御手段５に直流電力を供給する制御用電源、７は前記交流電源１からの供給が無い場合に制御用電源６に直流電力を供給するバックアップ電源である。８はキー入力により前記制御手段５に信号を送るキー入力手段である。
【０００４】
図８は図７の回路例を示す電源回路図である。図７と機能が同一のものについては同じ符号を付しその説明を省略する。直流電源２は交流電源１に接続されたダイオード２ａ〜２ｄと電解コンデンサ２ｅから構成される。駆動用電源４は直流電源２に接続されたダイオード４ａと電解コンデンサ４ｂから構成され、制御用電源６は直流電源２に接続されたダイオード６ａと電解コンデンサ６ｂから構成される。ここでは、駆動用電源４をＶｃｃ、制御用電源６をＶｄｄで表すことにする。バックアップ電源７は制御用電源６に接続されたダイオード７ａとバッテリー７ｂからなり、バッテリー７ｂはダイオード７ａを介して制御用電源６のＶｄｄに接続される。
【０００５】
キー入力手段８は駆動用電源４の電解コンデンサ４ｂに並列に接続された抵抗８ａとキースイッチ８ｂの直列回路から構成される。表示手段３は抵抗３ａと発光ダイオード３ｂから構成される。制御手段５はマイクロコインピュータから構成され、マイクロコインピュータの電源端子５ａは制御用電源６に、出力端子５ｂは表示手段３の抵抗３ａと発光ダイオード３ｂを介して駆動用電源４に、入力端子５ｃはキー入力手段８の抵抗８ａを介して駆動用電源４へ、キースイッチ８ｂを介してグランドへ、それぞれ接続される。
【０００６】
この構成において、交流電源１からの交流電力は直流電源２のダイオード２ａから２ｄで整流され、電解コンデンサ２ｅで平滑されて直流電力が生成される。
直流電源２で生成された直流電力は駆動用電源４のダイオード４ａで整流され、電解コンデンサ４ｂで安定化されて直流電力を表示手段３に供給する。一方、制御用電源６のダイオード６ａで整流され、電解コンデンサ６ｂで安定化された直流電力を制御手段５に供給する。バックアップ電源７は交流電源１からの電力の供給が無くなった場合に、制御手段５に直流電力を供給する。表示手段３は駆動用電源４からの直流電力の供給を受け、制御手段５からの信号により装置の状態を表示する。また、キー入力手段８は駆動用電源４からの直流電力の供給を受け、キースイッチ８ｂの操作により、制御手段５に信号を送る。
【０００７】
【発明が解決しようとする課題】
このような従来の電源回路では、交流電源１からの電力の供給が無くなった場合の、駆動用電源４及び制御用電源６の電圧低下は非常に緩やかである。また、バックアップ等を目的に直流電源を２つ以上に分けるような場合には、それぞれの電圧低下の割合が異なっていたりした。これらのことが原因で以下に示すような問題が生じる場合があった。
【０００８】
図９は従来の電源回路における、交流電源１からの電力の供給が無くなった場合の、駆動用電源４と制御用電源６の電源電圧の変化を示したものである。図において、交流電源１からの電力の供給が無くなると、駆動用電源４及び制御用電源６の電源電圧が徐々に低下する。この時の低下の割合は、駆動用電源４と制御用電源６のそれぞれに接続される負荷の大小によって決定される。この例の場合、駆動用電源４のＶｃｃは緩やかに低下し、制御用電源６のＶｄｄはそれよりも低下の割合が大きくなっている。制御用電源６のＶｄｄはバックアップ電源７により約３Ｖが維持されている。
【０００９】
制御手段５を構成するマイクロコンピュータの入力端子５ｃの電気的定格は、次式に示すように  その入力電圧Ｖｉｎの上限を電源電圧であるＶｄｄより０．３Ｖ高い値としているのが一般的である。
Ｖｉｎ≦Ｖｄｄ＋０．３［Ｖ］
この定格を超えると、入力端子５ｃから電源端子５ａに向かって貫通電流が流れ、マイクロコンピュータの異常発熱による不具合、電源電圧の乱れやノイズの発生による誤動作等が発生する場合がある。
【００１０】
このように、従来の電源回路では図９に示すように、駆動用電源４のＶｃｃと制御用電源６のＶｄｄは低下の割合が異なり、制御用電源６のＶｄｄよりも駆動用電源４のＶｃｃが０．３Ｖ以上高くなってしまう場合があり、上記のような問題が生じる場合があった。
【００１１】
また、従来の電源回路では、以下に述べるような問題の生じる場合があった。
図１０はＬＣＤを表示手段３に用いた場合のブロック図である。前述した図７との違いは表示手段３への直流電力の供給が、駆動用電源４から制御用電源６になっていることである。これはＬＣＤを用いることにより、表示手段３での消費電力を小さくすることが出来、交流電源１からの電力の供給が無い場合にもバックアップ電源７からの電力の供給により表示を行うものである。
【００１２】
図１１はＬＣＤを表示手段３に用いた場合の、表示手段３の回路例である。その他の部分については前述した図８と同様である。これまでに述べたものと機能が同一のものについては同じ符号を付し説明を省略する。図において、３ｃは表示手段であるＬＣＤであり、制御手段５からの信号を受けて表示を行う。制御手段５からＬＣＤ３ｃへの信号は、制御用電源６のＶｄｄを抵抗により分圧することによって得られるＬＣＤ電源によって与えられる。ここではＬＣＤ電源をＶｌｃｄで表す。
【００１３】
交流電源１からの電力の供給が有る場合は、制御用電源６のＶｄｄも駆動用電源４のＶｃｃも共に約５Ｖとなっている。この時、トランジスタ３ｄは駆動用電源４から抵抗９及び抵抗１０によりバイアスされているので、ＯＮとなっている。  トランジスタ３ｄがＯＮしている時は、制御用電源６を抵抗３ｅ（１０ＫΩ）及び抵抗３ｆ（１５ＫΩ）により分圧比３／５に分圧し、ＬＣＤ電源のＶｌｃｄの値は約３Ｖとなる。実際は抵抗３ｆに、抵抗３ｇ（３９０ＫΩ）、抵抗３ｈ（３９０ＫΩ）、抵抗３ｉ（３９０ＫΩ）の直列接続が並列に接続されているが、抵抗３ｆの値に比べて、抵抗３ｇ、抵抗３ｈ、抵抗３ｉの直列抵抗は非常に大きく、その影響は無視した。
【００１４】
交流電源１からの電力の供給が無い場合は、制御用電源６のＶｄｄはバックアップ電源７から供給される約３Ｖ、駆動用電源４のＶｃｃは約０Ｖとなっている。この時、トランジスタ３ｄは駆動用電源４のＶｃｃが約０Ｖであり、ＯＦＦとなっている。トランジスタ３ｄがＯＦＦしている時は、制御用電源６のＶｄｄを抵抗３ｅ及び抵抗３ｇ、抵抗３ｈ、抵抗３ｉの直列抵抗により分圧し、ＬＣＤ電源のＶｌｃｄの値はＶｄｄと同じになるが、バックアップ電源７から約３Ｖが供給されているので約３Ｖとなる。実際は抵抗３ｅにも電圧降下は発生するが、抵抗３ｅの値に比べて、抵抗３ｇ、抵抗３ｈ、抵抗３ｉの直列抵抗は非常に大きく、その影響は無視した。
【００１５】
このような構成の従来の電源回路において、交流電源１からの電力の供給が有る場合から、無くなった場合の動作を図１２を用いて説明する。上段の図（Ａ）は、交流電源１からの電力の供給が有る場合から無くなった場合の、駆動用電源４のＶｃｃと制御用電源６のＶｄｄの変化を表したものである。下段の図（Ｂ）は、その時のＬＣＤ電源のＶｌｃｄの変化を表している。
【００１６】
時間Ｔ０が交流電源１からの電力の供給が無くなった時間である。時間Ｔ０において交流電源１からの電力の供給が無くなると、制御用電源６のＶｄｄは低下し、時間Ｔ１でバックアップ電源７により維持される電圧レベルである約３Ｖとなる。駆動用電源４のＶｃｃも同様に低下し、時間Ｔ２で約０Ｖとなる。この例では、駆動用電源４と制御用電源６の電圧低下の割合は同じとした。駆動用電源４のＶｃｃの低下に伴い、トランジスタ３ｄの状態は時間ＴａにおいてＯＮからＯＦＦへと変わる。ＬＣＤ電源のＶｌｃｄは、時間Ｔａ以前ではトランジスタ３ｄがＯＮであるので、制御用電源６のＶｄｄを抵抗３ｅと抵抗３ｆにより分圧比３／５に分圧している。時間Ｔａにおいて、トランジスタ３ｄの状態がＯＮからＯＦＦへと変わると、上述のようにＬＣＤ電源のＶｌｃｄはほぼ制御用電源６のＶｄｄと等しくなる。
【００１７】
ＬＣＤ電源のＶｌｃｄは、時間Ｔ０からＴａの期間で本来の設定値である約３Ｖより低下していることになる。一般にＬＣＤの表示セグメントの濃淡は、その電源電圧であるＶｌｃｄの大小に依存する。この例のように、ＬＣＤ電源のＶｌｃｄが低下するような場合には、表示セグメントの濃淡は薄くなってしまい、視認性が犠牲となってしまう。つまり、一時的に表示にちらつきを生じることになる。
【００１８】
以上のように、従来の電源回路では、駆動用電源４と制御用電源６の２つの直流電源の電圧低下の割合が異なることにより、制御手段５を構成するマイクロコンピュータに貫通電流が発生してしまい、マイクロコンピュータの発熱や、ノイズ等が生じることにより誤動作が生じる場合があるという問題があった。また、直流電源２の出力容量を軽減する為に、駆動用電源４と制御用電源６に接続される負荷は小さく設定されているのが一般的であり、この時の電圧低下は非常に緩やかである。このような時は、ＬＣＤからなる表示手段のＬＣＤ電源の分圧比の切替タイミングが遅れてしまい、ＬＣＤの表示の濃淡が薄くなる等のちらつきを生じたりする問題があった。
【００１９】
この発明は上記の課題を解決するためになされたもので、交流電源からの電力の供給が無くなったときに、誤動作を防ぐとともに安定した表示ができる電源回路を提供することを目的とする。
【００２０】
【課題を解決するための手段】
この発明に係わる電源回路は、交流電源からの電力の供給を受けて直流電力を生成する直流電源と、この直流電源からの直流電力の供給を受けて直流電力を供給する駆動用電源と、前記交流電源からの電力の供給の有無を判定する交流電源検出手段と、前記駆動用電源に蓄えられた電荷を放電する放電手段と、前記交流電源検出手段により前記交流電源からの電力の供給が無いと判定されたときに前記放電手段を動作させる制御手段と、該制御手段へ信号を送るキー入力手段とを備え、前記キー入力手段は放電手段を兼ねるものである。
【００２２】
また、直流電源からの直流電力の供給を受けて制御手段に直流電力を供給する制御用電源と、交流電源からの電力の供給が無いときに前記制御用電源に直流電力を供給するバックアップ電源と、動作状態を表示するＬＣＤからなる表示手段と、を備え、前記制御用電源から前記表示手段に直流電力を供給するものである。
【００２３】
【発明の実施の形態】
実施の形態１．
図１はこの発明の実施の形態１の電源回路の構成を示すブロック図、図２は図１の回路例を示す電源回路図、図３は電源回路の電源電圧の変化を示す図である。１は商用電源等の交流電源、２は交流電源１からの電力の供給を受けて直流電力を生成する直流電源、３は発光ダイオード等からなり装置の状態を表示する表示手段、４は直流電源２からの直流電力の供給を受けて表示手段３に直流電力を供給する駆動用電源、５はマイクロコンピュータ等からなり装置を制御する制御手段、６は直流電源２からの直流電力の供給を受けて制御手段５に直流電力を供給する制御用電源、７は前記交流電源１からの供給が無い場合に制御用電源６に直流電力を供給するバックアップ電源である。８はキー入力により前記制御手段５に信号を送るキー入力手段である。１１は駆動用電源４に蓄えられた電荷を制御手段５の信号により放電する放電手段である。１２は前記交流電源１からの電力の供給の有無を判定する交流電源検出手段である。
【００２４】
図２おいて、図１と同一のものについては同じ符号を付しその説明を省略する。直流電源２は交流電源１に接続されたダイオード２ａ〜２ｄと電解コンデンサ２ｅから構成される。駆動用電源４は直流電源２に接続されたダイオード４ａと電解コンデンサ４ｂから構成され、制御用電源６は直流電源２に接続されたダイオード６ａと電解コンデンサ６ｂから構成される。ここでは、駆動用電源４をＶｃｃ、制御用電源６をＶｄｄで表すことにする。
バックアップ電源７は制御用電源６に接続されたダイオード７ａとバッテリー７ｂから構成され、バッテリー７ｂはダイオード７ａを介して制御用電源６のＶｄｄに接続される。
【００２５】
キー入力手段８は駆動用電源４の電解コンデンサ４ｂに並列に接続された抵抗８ａとキースイッチ８ｂの直列回路から構成される。表示手段３は抵抗３ａと発光ダイオード３ｂから構成される。制御手段５はマイクロコインピュータから構成され、マイクロコンピュータの電源端子５ａは制御用電源６に、出力端子５ｂは表示手段３の抵抗３ａと発光ダイオード３ｂを介して駆動用電源４に、入力端子５ｃはキー入力手段８の抵抗８ａを介して駆動用電源４へ、キースイッチ８ｂを介してグランドへ、それぞれ接続される。
【００２６】
放電手段１１は、ベースが制御手段５に接続され、コレクタが抵抗１１ａを介して駆動用電源４の正極に接続され、エミッタが駆動用電源４の負極に接続されたトランジスタ１１ｂから構成されている。交流電源検出手段１２は入力側が交流電源１に出力側が制御手段５に接続されている。
【００２７】
次に、以上のように構成された実施の形態１の電源回路における動作を図２，３により説明する。通常は、交流電源１からの交流電力は直流電源２のダイオード２ａから２ｄで整流され、電解コンデンサ２ｅで平滑されて直流電力が生成される。直流電源２で生成された直流電力は駆動用電源４のダイオード４ａで整流され、電解コンデンサ４ｂで安定化されて直流電力を表示手段３に供給する。一方、制御用電源６のダイオード６ａで整流され、電解コンデンサ６ｂで安定化された直流電力を制御手段５に供給する。表示手段３は駆動用電源４からの直流電力の供給を受け、制御手段５からの信号により装置の状態を表示する。また、キー入力手段８は駆動用電源４からの直流電力の供給を受け、キースイッチ８ｂの操作により、制御手段５に信号を送る。
【００２８】
交流電源１からの電力の供給が無くなった場合は、バックアップ電源７が制御手段５に直流電力を供給する。同時に、交流電源検出手段１２の出力がＯＦＦとなり、制御手段５は放電手段１１に信号を出力して放電手段１１のトランジスタ１１ｂをＯＮさせて、駆動用電源４に蓄えられた電荷を放電する。
【００２９】
ここで、交流電源１からの電力の供給が無くなった場合の駆動用電源４と制御用電源６の電源電圧の変化を図３により説明する。
図において、時間Ｔ０が交流電源１からの電力の供給が無くなった時間である。
時間Ｔ０において交流電源１からの電力の供給が無くなると、制御用電源６のＶｄｄは低下し、時間Ｔ１でバックアップ電源７により維持される電圧レベルである約３Ｖとなる。駆動用電源４のＶｃｃも同様に低下しはじめるが、放電手段１１から駆動用電源４に蓄えられた電荷が放電されるので、低下速度が早く、時間Ｔ２で約０Ｖとなる。
【００３０】
この時の駆動用電源４の電圧低下の割合は、放電手段１１の抵抗１１ａの値の設定によって決定される。また、制御用電源６の電圧低下の割合は、制御用電源６に接続される負荷の大小によって決定される。
本実施の形態では、駆動用電源４のＶｃｃの電圧低下の割合は、従来の電源回路の場合を表す図９に示されるものに比べて大きく、電源電圧は制御用電源６のＶｄｄより低くなっている。
【００３１】
制御手段５を構成するマイクロコンピュータの入力端子５ｃの電気的定格は、次式に示すように  その入力電圧Ｖｉｎの上限を電源電圧であるＶｄｄより０．３Ｖ高い値としているのが一般的である。
Ｖｉｎ≦Ｖｄｄ＋０．３［Ｖ］
この定格を超えると、入力端子５ｃから電源端子５ａに向かって貫通電流が流れ、マイクロコンピュータの異常発熱による不具合、電源電圧の乱れやノイズの発生による誤動作等が発生する場合がある。
【００３２】
しかしながら、上記のように、この発明の実施の形態１の電源回路では駆動用電源４のＶｃｃが制御用電源６のＶｄｄよりも低くなるように設定されており、駆動用電源４のＶｃｃが、制御用電源６のＶｄｄより０．３Ｖ高くなることはない。
【００３３】
以上のように、交流電源からの電力の供給が無くなったときに、誤動作を防ぐことができる。
【００３４】
実施の形態２．
図４はこの発明の実施の形態２を示す電源回路のブロック図、図５は電源電圧と表示手段の電源電圧の変化を示す図である。本実施の形態は表示手段にＬＣＤを用い、実施の形態１では表示手段への直流電力供給を駆動用電源４から行ったが、制御用電源６から行うようにしたものである。
【００３５】
図４は実施の形態１の図１において、表示手段３にＬＣＤを用い、表示手段３への直流電力供給を制御用電源６から行うようにしたものであり、表示手段３の回路例は、従来の電源回路の回路例で示した図１１と同一である。また、その他の部分については実施の形態１の図２と同様であるので構成の説明は省略する。
【００３６】
次に、以上のように構成された実施の形態２の電源回路において、交流電源１からの電力の供給が有る場合から無くなった場合の動作を図５を用いて説明する。上段の図（Ａ）は、交流電源１からの電力の供給が有る場合から無くなった場合の、駆動用電源４のＶｃｃと制御用電源６のＶｄｄの変化を表したものである。下段の図（Ｂ）は、その時のＬＣＤ電源のＶｌｃｄの変化を表している。
【００３７】
時間Ｔ０が交流電源１からの電力の供給が無くなった時間である。時間Ｔ０において交流電源１からの電力の供給が無くなると、交流電源検出手段１２の出力がＯＦＦとなり、制御手段５は放電手段１１に信号を出力して放電手段１１のトランジスタ１１ｂをＯＮさせて、駆動用電源４に蓄えられた電荷を放電する。
【００３８】
この時の駆動用電源４の電圧低下の割合は、放電手段１１の抵抗１１ａの設定によって決定される。また、制御用電源６の電圧低下の割合は、制御用電源６に接続される負荷の大小によって決定される。
図５（Ａ）に示すように、駆動用電源４のＶｃｃの電圧低下の割合は、従来の電源回路の場合を表す図１２に示されるものに比べて大きくなっているのが分かる。
【００３９】
制御用電源６のＶｄｄも、交流電源１からの電力の供給が無くなると、低下し、時間Ｔ２で、バックアップ電源７により約３Ｖが維持される。駆動用電源４のＶｃｃも低下し、時間Ｔ３で約０Ｖとなる。
駆動用電源４のＶｃｃの低下に伴い、表示手段３のトランジスタ３ｄの状態は時間ＴｂにおいてＯＮからＯＦＦへと変わる。ＬＣＤ電源のＶｌｃｄは、時間Ｔｂ以前ではトランジスタ３ｄがＯＮであるので、制御用電源６のＶｄｄを抵抗３ｅと抵抗３ｆにより分圧比３／５に分圧している。時間Ｔｂにおいて、トランジスタ３ｄの状態がＯＮからＯＦＦへと変わると、ＬＣＤ電源のＶｌｃｄはほぼ制御用電源６のＶｄｄと等しい約３Ｖとなる。
【００４０】
ＬＣＤ電源のＶｌｃｄは、時間Ｔ０からＴｂの期間で本来の設定値より低下していることになる。一般にＬＣＤの表示セグメントの濃淡は、その電源電圧であるＶｌｃｄの大小に依存する。この例のように、ＬＣＤ電源のＶｌｃｄが低下するような場合には、表示セグメントの濃淡は薄くなってしまい視認性が低下する。つまり、一時的に表示にちらつきを生じることになる。
【００４１】
しかし、本実施の形態では、駆動用電源４のＶｃｃの電圧低下の割合を、放電手段１１の抵抗１１ａの設定によって、従来の電源回路の場合を表す図１２に示したものに比べて大きくしているので、図１２の時間Ｔ０から時間Ｔａ迄の時間に比べて、図５に示される時間Ｔ０から時間Ｔｂ迄の時間の方がはるかに短くなっている。このように時間Ｔ０から時間Ｔｂ迄の時間をできるだけ短くして視認性に対する影響を殆ど無いようにし、ＬＣＤの表示セグメントの濃淡が薄くなる等のちらつきの発生を防止することができる。
【００４２】
以上のように、誤動作を防ぐとともに、表示手段３での消費電力を小さくすることができ、交流電源１からの電力の供給が無い場合にもバックアップ電源７からの電力の供給により安定した表示を行うことができる。
【００４３】
実施の形態３．
図６はこの発明の実施の形態３を示す電源回路図である。実施の形態１は放電手段を設けたが、本実施の形態はキー入力手段が放電手段を兼ねるようにしたものである。図６は実施の形態１の図２において放電手段１１を除いたものであり、制御手段５の５ｄは入力と出力を行う入出力端子である。他の構成は図２と同じであり説明を省略する。
【００４４】
このように構成された本実施の形態３の電源回路における動作を図６により説明する。キー入力手段８がキー入力手段として機能する場合は、制御手段５の入出力端子５ｄは入力端子として機能する。端子５ｄは抵抗８ａを介して駆動用電源４に接続されている。キースイッチ８ｂがＯＦＦの時の入出力端子５ｄの状態は「Ｈｉｇｈ」（約５Ｖ）であり、キースイッチ８ｂがＯＮされると入出力端子５ｄの状態は「Ｌｏｗ」（約０Ｖ）に変わる。制御手段５は、この入力レベルを判定して装置の動作を開始させたりする。
【００４５】
一方、キー入力手段８が放電手段として機能する場合は、制御手段５の入出力端子５ｄは出力端子として機能する。すなわち、交流電源１からの電力の供給がある場合は、制御手段５の入出力端子５ｄの出力が「ｈｉｇｈ」となるように制御され、端子５ｄは駆動用電源４のＶｃｃとほぼ同電位となっている。
そして、交流電源１からの電力の供給が無くなったとき、交流電源検出手段１２の出力がＯＦＦとなり、制御手段５の入出力端子５ｄの出力が「Ｌｏｗ」（約０Ｖ）となるように制御され、入出力端子５ｄの出力が「Ｌｏｗ」となるとキー入力手段８の抵抗８ａを介して駆動用電源４に蓄えられた電荷を放電する。
【００４６】
従って、実施の形態１（図３）と同様に、駆動用電源４のＶｃｃの電圧低下の割合は、従来の電源回路の場合に比べて大きく、電源電圧は制御用電源６のＶｄｄより低くなっている。駆動用電源４のＶｃｃが、制御用電源６のＶｄｄより０．３Ｖ高くなることはない。
【００４７】
以上のように、簡単な構成で、誤動作を防ぐことができ、装置を安価にすることができる。
【００４８】
【発明の効果】
以上のようにこの発明は、交流電源からの電力の供給を受けて直流電力を生成する直流電源と、この直流電源からの直流電力の供給を受けて直流電力を供給する駆動用電源と、前記交流電源からの電力の供給の有無を判定する交流電源検出手段と、前記駆動用電源に蓄えられた電荷を放電する放電手段と、前記交流電源検出手段により前記交流電源からの電力の供給が無いと判定されたときに前記放電手段を動作させる制御手段と、該制御手段へ信号を送るキー入力手段とを備え、前記キー入力手段は放電手段を兼ねるので、交流電源からの電力の供給が無くなったときに、誤動作を防ぐことができる。
また、簡単な構成で誤動作を防ぐことができる。
【００５０】
また、直流電源からの直流電力の供給を受けて制御手段に直流電力を供給する制御用電源と、交流電源からの電力の供給が無いときに前記制御用電源に直流電力を供給するバックアップ電源と、動作状態を表示するＬＣＤからなる表示手段と、を備え、前記制御用電源から前記表示手段に直流電力を供給するので、交流電源からの電力の供給が無くなったときに、誤動作を防ぐとともに安定した表示ができる。
【図面の簡単な説明】
【図１】  この発明の実施の形態１を示す電源回路のブロック図である。
【図２】  この発明の実施の形態１を示す電源回路の回路図である。
【図３】  この発明の実施の形態１を示す電源回路の電源電圧の変化を説明するグラフである。
【図４】  この発明の実施の形態２を示す電源回路のブロック図である。
【図５】  この発明の実施の形態２を示す電源回路の電源電圧の変化を説明するグラフである。
【図６】  この発明の実施の形態３を示す電源回路の回路図である。
【図７】  従来の電源回路を示すブロック図である。
【図８】  従来の電源回路を示す回路図である。
【図９】  従来の電源回路の電源電圧の変化を説明するグラフである。
【図１０】  他の従来の電源回路を示すブロック図である。
【図１１】  他の従来の電源回路の表示手段を示す回路図である。
【図１２】  他の従来の電源回路の電源電圧の変化を説明するグラフである。
【符号の説明】
１  交流電源、２  直流電源、３  表示手段、４  駆動用電源、５  制御手段、６  制御用電源、７  バックアップ電源、８  キー入力手段、１１  放電手段、１２  交流電源検出手段。
【図１】
0003799529.tif 000002
【図２】
0003799529.tif 000003
【図３】
0003799529.tif 000004
【図４】
0003799529.tif 000005
【図５】
0003799529.tif 000006
【図６】
0003799529.tif 000007
【図７】
0003799529.tif 000008
【図８】
0003799529.tif 000009
【図９】
0003799529.tif 000010
【図１０】
0003799529.tif 000011
【図１１】
0003799529.tif 000012
【図１２】
0003799529.tif 000013